(57)【特許請求の範囲】
【請求項１】
室内空気の吸込み口と吹出し口を設けた室内機本体と、この吸込み口と吹出し口を連通するの室内機本体内の通風路に熱交換器と送風機を配置した空気調和機の室内機において、
前記室内機本体における前記吹出し口の側方部位に互いに並んで設けられ、室内空気の汚れ度合を検知する汚れ度検知手段および、この汚れ度検知手段で検知した室内空気の汚れ度を表示する汚れ度表示手段と、
前記吹出し口とは離間した部位に設けられ、前記汚れ度検知手段に室内空気を導くための空気流入孔と、
前記室内機本体の前面で、かつ前記吹出し口の近傍部位に設けられ、前記空気流入孔から前記汚れ度検知手段を介し前記通風路とは区画された部位を通過した室内空気を、室内機本体内から外部へ流出させる空気流出孔と、
を具備することを特徴とする空気調和機の室内機。
【請求項２】
さらに前記室内機本体の前面に、空調運転中は前記吹出し口と汚れ度検知手段および汚れ度表示手段を開放し、空調運転停止時は吹出し口と汚れ度検知手段および汚れ度表示手段を室内から遮蔽する回動自在な可動パネルを備えた
ことを特徴とする請求項１記載の空気調和機の室内機。
【請求項３】
さらに前記室内機本体内に、前記通風路に導かれた室内空気の水分から水を生成する水生成手段を備え、前記水生成手段で生成された水を霧化して室内に放出する静電霧化手段と、
前記汚れ度検知手段が検出した汚れ度を、少なくとも３段階以上の判定段階に分割し、汚れ度が最も大の判定段階であるとき前記静電霧化手段を連続運転し、汚れ度が中程度の判定段階であるとき前記静電霧化手段を運転時間と運転停止時間が同一時間となるよう断続運転し、汚れ度が最も小の判定段階であるとき前記静電霧化手段を運転時間よりも停止時間が長くなるよう断続運転する制御をなす制御手段と、を備えた
ことを特徴とする請求項２記載の空気調和機の室内機。
【発明の詳細な説明】
【技術分野】
【０００１】
本発明の実施形態は、空気調和機の室内機に関する。
【背景技術】
【０００２】
室外機と室内機とからなる空気調和機において、室内機を構成する室内機本体に室内空気の吸込み口と吹出し口が設けられ、この吸込み口と吹出し口を連通する室内機本体内の通風路に熱交換器と送風機とが配置される。この送風機が駆動することで、吸込み口から熱交換器を介して吹出し口に亘る通風路に熱交換空気が流通する。
【０００３】
ところで、近時の室内機には、室内空気中に含まれる臭気成分や、カーテンや家具等に付着した臭気成分等の、空気中のガス系濃度である汚れ度を検知するガスセンサ（汚れ度検知手段）を備えたものがある。このガスセンサは、室内機本体に配置される制御基板に取付けられていた。
【先行技術文献】
【特許文献】
【０００４】
【特許文献１】特許第４２０９９７１号公報
【発明の概要】
【発明が解決しようとする課題】
【０００５】
なお説明すると、上記ガスセンサが取付けられた制御基板は、吸込み口の中央部など、充分な量の室内空気が導かれる位置に配置されている。そのため、今度は、送風量の設定変更など、空調運転にともなう空気流れに大きく影響を受けるようになり、検知精度が安定しない。
【０００６】
このような事情から、空調運転にともなう空気流れ量の変化の影響を受けずに、かつ確実に室内空気の流れがを取込める場所を選択して汚れ度を検知し、検知精度の向上を得られる空気調和機の室内機が望まれている。
【課題を解決するための手段】
【０００７】
本実施形態では、室内機本体に室内空気の吸込み口と吹出し口を設け、この吸込み口と吹出し口を連通する室内機本体内の通風路に熱交換器と送風機を配置し、吹出し口の側方部位に室内空気の汚れ度合を検知する汚れ度検知手段と室内空気の汚れ度を表示する汚れ度表示手段を互いに並んで設け、汚れ度検知手段に室内空気を導くための空気流入孔を吹出し口とは離間した部位に設け、室内機本体の前面で吹出し口の近傍部位に空気流入孔から汚れ度検知手段を介し通風路とは区画された部位を通過した室内空気を室内機本体から外部へ流出させる空気流出孔を設けた。
【図面の簡単な説明】
【０００８】
【図１】本実施形態に係る、空気調和機の室内機の縦断面図。
【図２】同実施形態に係る、室内機の空調運転停止時の外観斜視図。
【図３】同実施形態に係る、室内機の空調運転中の外観斜視図。
【図４】同実施形態に係る、室内機の一部を拡大した斜視図。
【図５】同実施形態に係る、汚れ度検知表示体の正面図。
【図６】同実施形態に係る、汚れ度検知表示体の外観斜視図。
【図７】同実施形態に係る、汚れ度表示部の汚れ度表示を説明する図。
【図８】同実施形態に係る、静電霧化手段の外観斜視図。
【図９】同実施形態に係る、静電霧化手段の作用を説明する図。
【図１０】同実施形態に係る、室内機本体を構成するフィルタ枠を背面側から見た斜視図。
【発明を実施するための形態】
【０００９】
以下、本実施形態を図面にもとづいて説明する。  
図１は本実施形態に係る空気調和機の室内機の縦断面図であり、図２は同実施形態の室内機の外観斜視図であって、いずれも空調運転停止時の状態を示している。図３は同実施形態の室内機の外観斜視図であり、図３は室内機の要部を拡大した斜視図であって、いずれも空調運転中の状態を示している。
【００１０】
室内機１は、室内壁面に取付け固定される後板本体２と、この後板本体２の前面に組合される前面パネル３とにより、筐体である室内機本体４が構成される。前面パネル３は、室内機本体４の前面と上面および左右両側面の筐体部を構成し、後板本体２は内部に収納される構成部品の取付け部と室内機本体４の背面部を兼用する。
【００１１】
前面パネル３の上面と前面には、室内空気を吸込み案内する上部吸込み口５ａと前面吸込み口５ｂが開口している。前面パネル３の前面には左右全幅に亘って化粧パネル３ａが取付けられ、化粧パネル３ａの上方と下方が前面吸込み口５ｂを形成する。化粧パネル３ａは、後述するエアフィルタの清掃等のメンテナンスを行うため開閉自在である。
【００１２】
前記室内機本体４を構成する前面パネル３の下部には、熱交換空気の吹出し口６が設けられる。この吹出し口６には、上下方向の風向を変更させる水平ルーバーと、この水平ルーバーに一体に設けられ左右方向の風向を変更させる左右ルーバーとからなる風向案内体７が取付けられる。
【００１３】
特に、吹出し口６の一（右）側部と、前面パネル３の一（右）側部との間で、吹出し口６の縦方向長さの略上半分程度は、後述する汚れ度検知表示体Ｙが取付けられるスペースとなっている。残り下半分程度のスペースは、人感センサＳを取付けるためのスペースとなっている。
【００１４】
前記汚れ度検知表示体Ｙは、室内空気の臭気成分などの汚れ度を検知し、その汚れ度に応じた表示をなして居住人に報知するものである。前記人感センサＳは、居住人の移動に追従して向きを変更し、居住人の存在を検知するものである。
【００１５】
化粧パネル３ａ下方の前面吸込み口５ｂと吹出し口６の前面側には、前面パネル３の全幅に亘り、可動パネル３ｂが配置される。この可動パネル３ｂは、上部の左右に支持軸を備え、下端辺が前方に回動して開閉するようになっていて、可動パネル３ｂの開閉動作は、室内機本体４内に配置したモータ等の駆動源により行われる。
【００１６】
可動パネル３ｂを閉じた状態で、この前面が上部の化粧パネル３ａと連続した湾曲面を構成するとともに、化粧パネル３ａ下方の前面吸込み口５ｂを閉じる。そして、吹出し口６および汚れ度検知表示体Ｙをほとんど閉じ、下方である居住人から見え難くして意匠性を向上させている。
【００１７】
可動パネル３ｂを回動すれば、この下端辺が前方に突出してほぼ水平状態になり、上面側が前面吸込み口５ｂを開放し、下面側が吹出し口６と汚れ度検知表示体Ｙを開放する。可動パネル３ｂにより、吸込み側の通風路と、吹出し側の通風路が上下で仕切られ、吹出し空気が吸込み口５ｂ側に流れるショートサーキット現象を防止できる。
【００１８】
上部、前面吸込み口５ａ，５ｂの内側には、上述したエアフィルタＦが配設される。エアフィルタＦの下端部近傍には、このエアフィルタＦを清掃するエアフィルタ清掃装置８が配設される。エアフィルタ清掃装置８は、主にエアフィルタ送り機構、塵埃除去用ブラシ、およびダストボックスから構成される。
【００１９】
エアフィルタ送り機構は、エアフィルタ清掃運転時に駆動し、エアフィルタＦを走行駆動する。そして、エアフィルタＦの下端部を室内機本体４の背面部に設けられたガイド部でＵターンさせ、元の部位に移動させる。
【００２０】
塵埃除去用ブラシは、エアフィルタＦの移動に連動して回転し、エアフィルタＦに付着している塵埃を描き取り、ダストボックス内に落下させる。ダストボックスは室内機本体４に着脱自在に取付けられていて、塵埃の満杯表示があったとき、居住人はこれを取外して内部の塵埃をごみ箱等に排出しなければならない。
【００２１】
室内機本体４は、その内部空間に、上部、前面吸込み口５ａ，５ｂと吹出し口６とを連通する通風路９を形成している。前記通風路９は、この上流側に、側面視で略逆Ｖ字状に形成された熱交換器１０が配設され、下流側には室内送風機を構成する横流ファン１１が配設される。
【００２２】
すなわち、前記通風路９は、横流ファン１１を駆動することで上部、前面吸込み口５ａ，５ｂから熱交換器１０に至り、室内空気が導かれる吸込み口側通風路９ａと、熱交換器１０から吹出し口６に至り、熱交換器１０と熱交換した室内空気である熱交換空気が導かれる吹出し口側通風路９ｂとから形成される。
【００２３】
つぎに、前記汚れ度検知表示体Ｙについて詳述する。  
図５は汚れ度検知表示体Ｙの正面図であり、図６は汚れ度検知表示体Ｙの斜視図である。  
この汚れ度検知表示体Ｙは、上述したように室内機本体４における前記吹出し口６の側方部位に設けられる。前面は図３および図４に示すように、半透明板からなる前面表示板１３によって覆われる。
【００２４】
汚れ度検知表示体Ｙは、左右幅方向に亘って、複数（４個）の表示用のＬＥＤ１５が並んで配置された汚れ度表示部（汚れ度表示手段）１６と、この汚れ度表示部１６の一（右）側部に隣設されるガスセンサ（汚れ度検知手段）ＧＳとを備えている。
【００２５】
なお汚れ度表示部１６について説明すると、それぞれのＬＥＤ１５は汚れ度検知表示体Ｙの前面よりも奥方に配置され、この縦横周面はＬＥＤ１５から前面に向かって斜めに拡開する反射面部１８となっている。このことから、ＬＥＤ１５が発光すれば、その光が反射面部１８で拡大され、前面表示板１３を明るく照らす。
【００２６】
ただし、ガスセンサＧＳとは反対側の一（左）側部のＬＥＤ１５は、他の複数（３個）のＬＥＤ１５よりも前側に位置する。そのため、このＬＥＤ１５周面の反射面部１８面積は、他のＬＥＤ１５周面の反射面部１８面積よりも狭い。全てのＬＥＤ１５の照度が同一でも、一側部のＬＥＤ１５のみ前面表示板１３を照明する照度が弱い。
【００２７】
すなわち、一側部のＬＥＤ１５は、「運転表示ランプ」として備えられ、他の複数のＬＥＤ１５は、「汚れ度表示ランプ」として備えられる。  
「汚れ度表示ランプ」として、ガスセンサＧＳで測定された汚れ度が所定の基準値以上の場合は、全てのＬＥＤ１５が消灯する。所定の基準値内において、最も「大」（空気の汚れ度合が大きい）の場合は、１個のＬＥＤ１５が照明される。汚れ度が「中」程度の場合は、２個のＬＥＤ１５が照明される。
【００２８】
そして、汚れ度が最も「小」（空気の汚れ度合が小さい）の場合は、３個のＬＥＤ１５が照明されるようになっている。すなわち、ＬＥＤ１５の点灯数が多くなるほど、空気の清浄度が高いことを表している。
【００２９】
前記ガスセンサＧＳは円筒体状をなしていて、空気中の汚れ具合である臭気（ガス系）の濃度を検出する半導体ガスセンサである。すなわち、ヒータで加熱される感ガス材料に電圧を印加し、ガスに触れる感ガス材料の抵抗の変化を、感ガス材料に直列に設けた負荷抵抗両端出力（電圧）の変化として取出すものである。
【００３０】
ガスセンサＧＳの基端部は、前記ＬＥＤ１５と同様、プリント制御基板に取付けられ、実装される。ガスセンサＧＳの先端部は前面側に突出していて、この周面は矩形状の凹陥部１９となっている。凹陥部１９の一部には図示しない孔部が設けられ、ガスセンサＧＳと対向する。
【００３１】
汚れ度検知表示体Ｙとして、前面部２０ａと、ＬＥＤ１５周囲の反射面部１８と、ガスセンサＧＳ周囲の凹陥部１９および上下左右面部２０ｂに対して、図示しない背面部が設けられる。背面部に対する前面部２０ａ、反射面部１８、凹陥部１９、上下左右面部２０ｂとの間には、空洞部が形成されている。
【００３２】
前記凹陥部１９の上方部位である上面部２０ｂに空気流入孔２２が設けられ、一側部の反射面部１８の下方部位で、この前面部に空気流出孔２３が設けられる。したがって、空気が空気流入孔２２から汚れ度検知表示体Ｙの空洞部に導かれ、凹陥部１９に設けられる孔部から凹陥部１９内に侵入してガスセンサＧＳを覆う。
【００３３】
そして、凹陥部１９に設けられる孔部から空洞部に導かれ、空気流出孔２３から汚れ度検知表示体Ｙの外部に流出する。上述したように、汚れ度検知表示体Ｙは吹出し口６と隣設する側部に取付けられていて、吸込み口５と吹出し口６とを連通する通風路９とは区画された独立構造体として配置される。
【００３４】
図３と図４に示すように、吹出し口６の側方部位に取付けられ、前面が前面表示板１３で覆われる汚れ度検知表示体Ｋは、先に説明した可動パネル３ｂが回動したときに開放される。特に図示していないが、汚れ度検知表示体Ｙ上面と可動パネル３ｂとの間に間隙が形成され、したがって空気流入孔２２から内部に室内空気が流入するのに支障がない。  
また、空気流出孔２３は汚れ度検知表示体Ｙの下面にも開放しているので、可動パネル３ｂが回動したときに、ここから汚れ度検知表示体Ｙ外部である室内機本体４外部へ円滑に流出する。
【００３５】
一方、図１に示すように、通風路９の熱交換器１０よりも上流側の吸込み口側通風路９ｂと連通する部位に、静電霧化ユニット（静電霧化手段）Ｍが配設される。この静電霧化ユニットＭにおいて静電ミストを放出する静電ミスト放出口２５は、吹出し口６の上方部位に開口される。
【００３６】
図８は静電霧化ユニットＭの構成図、図９は静電霧化ユニットＭの作用を説明するための図、図１０はフィルタ取付け枠２６に対する静電霧化ユニットＭと静電ミスト放出口２５の位置を示す図である。
【００３７】
静電霧化ユニットＭは、水生成部（水生成手段）３０と、放電部４０および高電圧印加装置５０とから構成される。  
水生成部３０は、ペルチェ素子３１の一面に、放熱性の良好な金属よりなるヒートシンク３２を固定し、ペルチェ素子３１の他面に、熱伝導性の高い金属製の水生成板３３と、前面カバー３４を取付けている。
【００３８】
水生成板３３は、吸込み口側通風路９ａと連通する部位空間に晒され、ペルチェ素子３１により表面の空気が冷却されることで、外表面に結露水を生成する。前面カバー３４は、ペルチェ素子３１を被覆して電気的に絶縁し、水生成板３３を吸込み口側通風路９ａに露出するための開口を有し、ここで生成した結露水を放電部４０に供給案内する。
【００３９】
放電部４０は、水生成部３０から結露水が供給される多孔質のフェルトピン等からなる放電ピン４１を備えている。放電ピン４１は、導電性を有する帯板状のリード板を介して高電圧印加装置５０に電気的に接続される。
【００４０】
放電ピン４１は、高電圧印加装置５０により高電圧が印加されたときに放電し、その放電を結露水に作用させ、静電霧化現象を発生させる。このことにより水（結露水）を、粒子径がピコメートルからナノメートルサイズの負の帯電微粒子に分裂させ、静電ミストが生成する。
【００４１】
放電部４０と静電ミスト放出口２５とはミスト放出管４４によって連通される。ミスト放出管４４は、静電霧化ユニットＭの上流部は曲げ部分が多いので、この上流部４４ａを硬質樹脂製により形成し、残りの下流部４４ｂは室内機本体４への組付け時の自由度を確保するために、軟質樹脂製のホース等からなる。
【００４２】
静電霧化ユニットＭはフィルタユニット取付け枠２６の背面に取付けられ、静電ミスト放出口２５はフィルタユニット取付け枠２６の下面に取付けられる。静電霧化ユニットＭと静電ミスト放出口２５は、可動パネル３ｂを回動して吹出し口６の一部と汚れ度検知表示体Ｙを開放した状態でも目視することはできない。
【００４３】
なお、室内機本体４内には複数の温度センサ等のセンサ類が取付けられ、図１のみに示す制御部Ｋへ検知信号を送る。制御部Ｋにはリモートコントローラ（遠隔操作盤）に設定した設定信号も送られる。以上説明した横流ファン１１などの電動部品は、全て制御部Ｋ（制御手段）から制御信号を受け、制御されるようになっている。
【００４４】
つぎに、空気調和機１の作用について説明する。  
空気調和機１に運転開始信号が入ると、図３および図４に示すように可動パネル３ｂが回動して吹出し口６と汚れ度検知表示体Ｋの前面表示板１３を開放する。室外機に備えられる圧縮機が駆動され冷凍サイクル運転が行われるとともに、室内送風機を構成する横流ファン１１が回転駆動される。
【００４５】
室内空気は吸込み口５から室内機本体４内に吸込まれ、エアフィルタＦで塵埃等が捕捉・除去される。さらに、室内空気は吸込み口側通風路９ａに導かれ、熱交換器１０において熱交換して冷風または温風等の熱交換空気に変る。熱交換空気は、吹出し口側通風路９ｂを経て吹出し口６から室内へ吹出され、室内は設定された条件に空気調和される。
【００４６】
一定の条件が揃うと、制御部Ｋは静電霧化ユニットＭへ駆動制御信号を送る。これによりペルチェ素子３１に通電し、水生成板３３が冷却される。吸込み口側通風路９ｂ内の吸込み空気の一部が、水生成板３３の外面に接触して冷却され、結露水ｗが水生成板３３外面と前面カバー３４外面に生成して付着する。
【００４７】
結露水ｗは前面カバー３４に案内され、重力により放電ピン４１に滴下する。放電ピン４１は高電圧印加装置５０により高電圧が印加されて放電し、放電ピン４１に付着する結露水ｗに放電が作用する。結露水ｗは、静電霧化現象が生じて粒子径がピコメートルからナノメートルサイズの負の帯電微粒子に分裂され、静電ミストが生成される。
【００４８】
その一方で、吹出し口側通風路９ｂでは、横流ファン１１の送風により、静電ミスト放出口２５の近傍部位が、ミスト放出管４４内の圧力に対して負圧になる。放電部４０で生成した静電ミストは、ミスト放出管４４を介して吹出し口６側へ吸引され、吹出し口６近傍に設けられる静電ミスト放出口２５から吹出し口６へ放出される。
【００４９】
吹出し口６から吹出される熱交換空気の流れに乗って静電ミストが室内へ放出される。静電ミストは強力な酸化力を有するＯＨラジカルを生成するので、このＯＨラジカルの強力な酸化力により、空気中の有機物から水素原子を奪い、有機物の結合を分解して浄化する。ＯＨラジカルは反応性が高く、最終的には二酸化炭素や水になる。
【００５０】
ところで、吹出し口６から熱交換空気が吹出されることで、吹出し口６と、この吹出し口６の周辺部位が負圧状態となる。汚れ度検知表示体Ｙにおいては、空気流出孔２３が吹出し口６に極く近接した部位に開口していて、吹出し口６から吹出される熱交換空気の流れにともない、空気流出孔２３とその周辺部分も負圧化する。
【００５１】
汚れ度検知表示体Ｙに設けられる空気流入孔２２は空洞部を介して空気流出孔２３に連通していて、空気流入孔２２周囲の室内空気である室内機本体４の前面側の空気が空気流入孔２２内に吸込まれる。なお、空気流入孔２２は吹出し口６から離間した位置にあるので、吹出し口６から吹出される熱交換空気が空気流入孔２２に流入することはない。
【００５２】
純然たる室内空気が空気流入孔２２から汚れ度検知表示体Ｙ内に導かれ、ガスセンサＧＳが取付けられる凹陥部１９を満たす。ガスセンサＧＳは室内空気の汚れ度合を検知して、その検知信号を制御部Ｋへ送る。凹陥部１９を満たした室内空気は、汚れ度表示部１６の裏面に形成される空洞部を介して空気流出孔２３に導かれる。
【００５３】
空気流出孔２３に到達した室内空気は、吹出し口６から吹出される熱交換空気に誘引されて空気流出孔２３から流出する。そして、吹出し口６から吹出される熱交換空気とともに室内へ吹出される。新たな室内空気が空気流入孔２２に流入し、上述したようにガスセンサＧＳで汚れ度を検知されて空気流出孔２３から流出する作用を繰り返す。
【００５４】
このように、汚れ度検知表示体Ｙにおいては、ガスセンサＧＳに室内空気を導く空気流入孔２２を吹出し口６とは離間した部位に設け、この空気流入孔２２と連通する空気流出孔２３を室内機本体４の前面で、かつ吹出し口６の近傍部位に設けている。  
空気流入孔２２から導かれた室内空気はガスセンサＧＳで汚れ度合を検知され、室内機本体４内に形成される通風路９とは区画された部位を通過して空気流出孔２３に導かれ、室内機本体４外部へ流出する。
【００５５】
したがって、ガスセンサＧＳに室内空気を導く空気流入孔２２を、吸込み口５から吹出し口６へ連通する通風路９外に備え、空調運転中の誘引気流により、ガスセンサＧＳへの空気流れが発生する。空調作用をなす通風路９の空気流れに影響されず、ガスセンサＧＳの検知感度の向上を得られる。
【００５６】
汚れ度検知表示体Ｙの前面に可動パネル３ｂを開閉自在に設けて、運転停止中は閉成し、運転開始とともに開放するようにした。特に、汚れ度検知表示体Ｙに設けられる空気流入孔２２と空気流出孔２３は、運転停止時に可動パネル３ｂによって閉成されるので、運転停止が長期に亘っても塵埃の侵入を確実に阻止する。  
ガスセンサＧＳに塵埃が付着し堆積することはなく、空調運転の開始にあたってセンサ精度が低下するのを防止できる。
【００５７】
ガスセンサＧＳが室内空気から検知した検知信号は制御部Ｋへ送られ、ここで汚れ度合が判断される。そして、制御部Ｋから汚れ度表示部１６へ制御信号を送って汚れ度を表示させるとともに、静電霧化ユニットＭへ制御信号を送り上述した運転を行わせて、吹出し口６から吹出される熱交換空気の清浄化を図る。その結果、居室の清浄化を得られる。
【００５８】
ガスセンサＧＳから検知信号を受けた制御部Ｋは、汚れ度合によって汚れ度表示部１６に対する表示制御と、これに関連する静電霧化ユニットＭに対する運転制御を行う。
【００５９】
図７は、汚れ度表示部１６の表示例を説明する図である。  
汚れ度表示部１６の表面を覆う前面表示板１３において、この一（左）側部に、空調運転の開始にともなって点灯するＬＥＤ１５によって照明される運転表示マーク６０がある。他（右）側部に、ガスセンサＧＳの存在を表示するガスセンサマーク７０が描かれている。このガスセンサマーク７０の背面側にはガスセンサＧＳが配置されている。
【００６０】
運転表示マーク６０とガスセンサマーク７０とは間隔を存していて、この空間スペースの背面側に、上述した３個のＬＥＤ１５が配置される。それぞれのＬＥＤ１５が点灯することで、前面表示板１３に描かれた汚れ度マーク８０が照明されて、居住人が空気の汚れ度合を確認することができるようになっている。
【００６１】
制御部Ｋは、ガスセンサＧＳが検知した汚れ度を、少なくとも３段階以上の判定段階に分割する。実際には、図７に示すように、４段階に変化させている。  
制御部Ｋは、汚れ度が最も大のレベルである、第４の判定段階以上と判断したとき、「汚れ度４以上」として、汚れ度表示部１６の全てのＬＥＤ１５への通電を行わない。すなわち、「消灯」であり、運転表示マーク６０とガスセンサマーク７０との間の全ての汚れ度マーク８０が消えた表示をなす。  
同時に制御部Ｋは、静電霧化ユニットＭに対して能力一杯の連続運転をなすよう制御する。このことから、居室の早急な清浄化を促進させる。
【００６２】
汚れ度が次の、中の上段階のレベルである、第４の判定段階未満で、第３の判定段階以上と判断したとき、「汚れ度３」として、汚れ度表示部１６の1つのＬＥＤ１５に通電する。すなわち、「１灯」であり、運転表示マーク６０寄りの１個のＬＥＤ１５が点灯制御され、その分の汚れ度マーク８０が照明される。  
同時に制御部Ｋは、静電霧化ユニットＭに対して、連続運転時間が２で、停止時間が１の割合となる断続運転をなすよう制御して、居室の清浄化を促進させる。
【００６３】
汚れ度が次の、中の下段階のレベルである、第３の判定段階未満で、第２の判定段階以上と判断したとき、「汚れ度２」として、汚れ度表示部１６の２つのＬＥＤ１５に通電する。すなわち、「２灯」であり、運転表示マーク６０寄りの２個のＬＥＤ１５のみが点灯制御され、その分の汚れ度マーク８０が照明される。  
同時に制御部Ｋは、静電霧化ユニットＭに対して、連続運転時間と停止時間が同一時間となる断続運転をなすよう制御して、居室の清浄化を維持する。
【００６４】
汚れ度が次の、小段階（汚れ度合が最も小さい）のレベルである、第２の判定段階未満で、第１の判定段階以上と判断したとき、「汚れ度１」として、汚れ度表示部１６の全てのＬＥＤ１５を通電する。すなわち、「全灯」であり、全てのＬＥＤ１５に対する点灯制御が行なわれ、汚れ度マーク８０の照明は全て点灯する。
【００６５】
同時に制御部Ｋは、静電霧化ユニットＭに対して、連続運転時間が１、停止時間が２の割合の断続運転をなすよう制御して、居室の清浄化が損なわれるのを防止する。  
このようにして、空気清浄能力を適正に保ちつつ、静電霧化ユニットＭの長寿命化を得る。
【００６６】
なお、空調運転を開始するとともに、ガスセンサＧＳによる汚れ度の検知開始時は、ガスセンサＧＳを初期化制御する必要がある。すなわち、センサ開始時に、所定時間検知を行わず、安定してから測定を開始する制御をなす。
【００６７】
このとき制御部Ｋは、暫定的に汚れ度表示部１６に対して汚れ度が中程度の表示である、たとえば、汚れ度「３」の表示を行うよう制御する。同時に、静電霧化ユニットＭに対して連続運転時間が２で、停止時間が１の割合となる断続運転を行うよう制御する。  
このことから、ガスセンサＧＳの初期化中においても静電霧化ユニットＭによる室内空気の清浄化を得られ、実際に室内空気を清浄化する時間の短縮化を図れる。
【００６８】
また、空調運転中にガスセンサＧＳが故障し、室内空気の汚れ度合を検知できなくなる場合もあり得る。  
このような事故が発生した場合に制御部Ｋは、空調運転の継続時間に応じて室内空気の汚れ度を想定し、静電霧化ユニットＭの運転を制御する。したがって、居室の清浄度を維持でき、居室人に対する不利条件を最小限に抑制できる。
【００６９】
以上、本実施形態を説明したが、上述の実施形態は、例として提示したものであり、実施形態の範囲を限定することは意図していない。この新規な実施形態は、その他の様々な形態で実施されることが可能であり、要旨を逸脱しない範囲で、種々の省略、置換え、変更を行うことができる。これら実施形態やその変形は、発明の範囲や要旨に含まれるとともに、特許請求の範囲に記載された発明とその均等の範囲に含まれる。
【符号の説明】
【００７０】
５ａ…上部吸込み口、５ｂ…前面吸込み口、６…吹出し口、１０…熱交換器、１１…横流ファン（送風機）、４…室内機本体、９…通風路、ＧＳ…ガスセンサ（汚れ度検知手段）、１６…汚れ度表示部（汚れ度表示手段）、２２…空気流入孔、２３…空気流出孔、３ｂ…可動パネル、３０…水生成部（水生成手段）、Ｍ…静電霧化ユニット（静電霧化手段）、Ｋ…制御部（制御手段）。
【図１】
0005479396.tif 000002
【図２】
0005479396.tif 000003
【図３】
0005479396.tif 000004
【図４】
0005479396.tif 000005
【図５】
0005479396.tif 000006
【図６】
0005479396.tif 000007
【図７】
0005479396.tif 000008
【図８】
0005479396.tif 000009
【図９】
0005479396.tif 000010
【図１０】
0005479396.tif 000011